(57)【要約】【課題】吹出口からダクト板を伝って下方へ流れ落ちた水滴が、貯蔵室底面に溜まることなく貯蔵室から排水することができる冷蔵庫を提供する。【解決手段】内部に貯蔵室１４が形成された冷蔵庫本体１１と、冷気を生成する冷却器３６と、冷却器３６で生成された冷気が流れるダクト４０と、貯蔵室１４の背面にダクト４０を区画形成するダクト板３４とを備えた冷蔵庫１０において、ダクト板３４は、ダクト４０を流れる冷気が貯蔵室１４へ吹き出す吹出口７０と、吹出口７０より下方に設けられた貯蔵室１４に開口する開口部９０ａと、開口部９０ａの上端から下方に行くほど後方へ向けて傾斜するひさし部９１とを備える。【選択図】        図４
2017026194.tif 000002
【特許請求の範囲】
【請求項１】
内部に貯蔵室が形成された冷蔵庫本体と、冷気を生成する冷却器と、前記冷却器で生成された冷気が流れるダクトと、前記貯蔵室の背面に前記ダクトを区画形成するダクト板とを備えた冷蔵庫において、
前記ダクト板は、前記ダクトを流れる冷気が前記貯蔵室へ吹き出す吹出口と、前記吹出口より下方に設けられた前記貯蔵室に開口する開口部と、前記開口部の上端から下方に行くほど後方へ向けて傾斜するひさし部とを備える冷蔵庫。
【請求項２】
前記開口部は、前記貯蔵室の空気を吸い込む吸込口である請求項１に記載の冷蔵庫。
【請求項３】
前記ひさし部の下方に前記冷却器の除霜水を受ける排水樋が設けられている請求項１又は２に記載の冷蔵庫。
【請求項４】
前記ダクト板は、前記ひさし部の下方に前記ダクト板の裏面から後方へ突出する突部を備える請求項１〜３のいずれか１項に記載の冷蔵庫。
【請求項５】
前記突部の上面は、後方へ行くほど下方に傾斜する請求項４に記載の冷蔵庫。
【請求項６】
前記ダクト板は前面に前方へ突出する前面凸部を備え、
前記前面凸部の上面は、前記開口部の上方位置から側方へ延び、前記開口部から離れるほど上方へ傾斜する請求項１〜５のいずれか１項に記載の冷蔵庫。
【発明の詳細な説明】
【技術分野】
【０００１】
本発明の実施形態は、冷蔵庫に関するものである。
【背景技術】
【０００２】
冷却器で生成された冷気が流れるダクトを区画形成するダクト板を貯蔵室の背面に備える冷蔵庫では、ダクトを流れる冷気をダクト板に設けられた吹出口から貯蔵室へ吹き出すようになっているが、貯蔵室内の空気に含まれる水分が、吹出口から吹き出す冷気によって冷却され吹出口の周囲に霜が付着することがある。吹出口の周囲に付着した霜は、冷却器の除霜運転時に発生する熱や貯蔵室に収納された温かい貯蔵物の熱などによって融解して水滴となり、吹出口が設けられたダクト板を伝って下方へ流れ貯蔵室底面に溜まるおそれがある（下記特許文献１参照）。
【先行技術文献】
【特許文献】
【０００３】
【特許文献１】特開２００８−１１６１２８号公報
【発明の概要】
【発明が解決しようとする課題】
【０００４】
本発明は上記事情を考慮してなされたものであり、吹出口の周囲に付着した霜が融解して水滴となりダクト板を伝って下方へ流れることがあっても、貯蔵室底面に溜まることなく貯蔵室から排水することができる冷蔵庫を提供することを目的とする。
【課題を解決するための手段】
【０００５】
本実施形態の冷蔵庫は、内部に貯蔵室が形成された冷蔵庫本体と、冷気を生成する冷却器と、前記冷却器で生成された冷気が流れるダクトと、前記貯蔵室の背面に前記ダクトを区画形成するダクト板とを備えた冷蔵庫において、前記ダクト板は、前記ダクトを流れる冷気が前記貯蔵室へ吹き出す吹出口と、前記吹出口より下方に設けられた前記貯蔵室に開口する開口部と、前記開口部の上端から後方に行くほど下方へ傾斜するひさし部とを備えるものである。
【図面の簡単な説明】
【０００６】
【図１】本発明の一実施形態に係る冷蔵庫の断面図である。
【図２】扉を外した冷蔵庫の部分正面図である。
【図３】ダクト板の斜視図である。
【図４】図１の要部拡大図である。
【発明を実施するための形態】
【０００７】
以下、図面に基づいて本発明の一実施形態について説明する。
【０００８】
本実施形態に係る冷蔵庫１０は、図１に示すように、外郭を形成する外箱と貯蔵空間を形成する内箱との間に発泡断熱材を充填した前面に開口する断熱箱体からなる冷蔵庫本体１１を備える。冷蔵庫本体１１の内部に形成される貯蔵空間は、仕切壁１２によって上方の冷凍貯蔵室１４と下方の冷蔵貯蔵室１６とに区画されており、冷凍貯蔵室１４及び冷蔵貯蔵室１６の前面開口部がそれぞれ扉１５，１７によって閉塞されている。
【０００９】
冷蔵貯蔵室１６は、冷蔵温度（例えば、２〜４℃）に冷却される空間であり、上部に引き出し棚２０が設けられ、下部に載置棚を兼ねた仕切板２２が設けられている。引き出し棚２０と仕切板２２との間には複数の載置棚２４が配設され、仕切板２２と冷蔵貯蔵室１６の底部との間には冷蔵庫本体１１に対して前後方向に摺動可能に設けられた引き出し容器２６が配設されている。
【００１０】
冷凍貯蔵室１４は、内部が冷凍温度（例えば、−１８℃以下）に冷却される空間であり内部空間が載置棚２８によって上下に区画されている。冷凍貯蔵室１４の後部には、冷蔵庫本体１１背面との間で冷却器室３０を形成する冷却器カバー３２と、冷却器カバー３２の前方に配置され冷凍貯蔵室１４の背面を構成するダクト板３４が設けられている。
【００１１】
冷却器カバー３２は、冷却器３６の前面を覆う板状の部材からなり、冷却器３６より上方に設けられた取付孔に送風ファン３８が取り付けられている。
【００１２】
冷却器室３０は、内部に冷却器３６と送風ファン３８と排水樋５８が収納され、冷凍貯蔵室１４及び冷蔵貯蔵室１６に供給する冷気を生成する空間であり、冷却器カバー３２とダクト板３４の間に形成された冷凍ダクト４０及び吸込ダクト４２に接続されている。
【００１３】
冷却器３６は、冷蔵庫１０の下部に設けた圧縮機５６や、不図示の凝縮器やキャピラリーチューブ等とともに冷凍サイクルを構成し、圧縮機５６から吐出される冷媒が凝縮器及びキャピラリーチューブを介して導入される。これにより、冷却器３６は低温化して冷却器室３０内の空気を冷却して冷気を生成する。
【００１４】
排水樋５８は、冷却器３６の下方に設けられた上面に開口する容器からなり、除霜運転時に冷却器３６から生じる結露水（除霜水）を受ける。排水樋５８は、底面部に排水ホース６０が接続されており、排水樋５８で受けた除霜水を排水ホース６０を介して冷蔵庫本体１１の背面底部に設けられた蒸発皿６２へ排水する。
【００１５】
ダクト板３４は、冷却器カバー３２の前方に間隔をあけて設けられた板状の部材からなり、冷却器カバー３２との間に冷凍ダクト４０と吸込ダクト４２とを形成する。ダクト板３４には、冷凍貯蔵室１４に開口する上部吹出口７０、下部吹出口８０、及び吸込口９０ａ，９０ｂと、冷凍貯蔵室１４へ向けて前方へ突出する前面凸部１００とが設けられており、上部吹出口７０及び下部吹出口８０に冷凍ダクト４０が接続され、吸込口９０ａ，９０ｂに吸込ダクト４２が接続されている。
【００１６】
冷凍ダクト４０は、冷却器カバー３２に設けられた送風ファン３８から上下に延びる流路であって、上方に延びる流路の先端が上部吹出口７０に接続され、下方に延びる流路の先端に下部吹出口８０が接続されている。冷凍ダクト４０は、送風ファン３８の回転時に冷却器室３０から吹き出した空気を上部吹出口７０及び下部吹出口８０から冷凍貯蔵室１４に供給する。また、冷凍ダクト４０は、ダンパ４６（図２参照）が設けられた流路４８を介して冷蔵貯蔵室１６の背面に設けられた冷蔵ダクト５０と接続され、ダンパ４６の開放時に送風ファン３８が回転することで冷却器室３０から吹き出した空気を冷蔵ダクト５０へ供給する。
【００１７】
吸込ダクト４２は、冷凍ダクト４０の下方に設けられ、吸込口９０ａ，９０ｂから取り込んだ冷凍貯蔵室１４内の空気を冷却器室３０へ戻す流路である。また、吸込ダクト４２は、仕切壁１２内に設けられたリターンダクト５２を介して冷蔵貯蔵室１６の天井面に開口する冷蔵吸込口５４と接続され、冷蔵貯蔵室１６内の空気を冷蔵吸込口５４から取り込み冷却器室３０へ戻す。
【００１８】
上部吹出口７０は、冷凍貯蔵室１４の上部に幅方向のほぼ全体にわたって細長く設けられた開口部であり、その開口部内側に冷凍ダクト４０から吹き出す空気を前方へ指向するルーバー７１が設けられている。
【００１９】
下部吹出口８０は、上部吹出口７０より下方、この例では、載置棚２８の下面に近接する位置に上部吹出口７０より幅方向に短く設けられた開口部であり、その開口部上端から下方に垂れ下がるひさし部８１が、下部吹出口８０のほぼ全幅にわたって設けられている。
【００２０】
ひさし部８１は、下部吹出口８０の上端から下方に行くほど後方へ向けて傾斜し、ひさし部８１の下端が下部吹出口８０の下縁より上方で終端している。これにより、ひさし部８１は、冷凍ダクト４０の内部に位置し、冷凍ダクト４０を流れる空気が、下部吹出口８０の下縁とひさし部８１の下端との間に形成された隙間から冷凍貯蔵室１４へ吹き出すようになっている。また、この例では、ひさし部８１にスリット状の貫通孔８２が複数個設けられ、冷凍ダクト４０を流れる空気が貫通孔８２から冷凍貯蔵室１４へ吹き出すようになっている。
【００２１】
ひさし部８１の下方には、ダクト板３４と冷却器カバー３２との間に形成された冷凍ダクト４０と吸込ダクト４２とを区画する突部８３が、ダクト板３４の背面から後方に突出形成されている。この例では、図４に示すように、突部８３の上面はダクト板３４から後方に行くほど下方に傾斜する傾斜面をなしており、その最下端位置に水抜き孔８４が穿設されている。水抜き孔８４は排水樋５８の上面開口の上方に位置している。
【００２２】
吸込口９０ａ，９０ｂは、下部吹出口８０より下方、この例では、冷凍貯蔵室１４の底面１４ａに近接する位置に上部吹出口７０より幅方向に短く設けられた開口部であり、上下方向に複数（本実施形態では３つ）並べて設けられている。
【００２３】
最上段に位置する吸込口９０ａには、その上端から下方に垂れ下がるひさし部９１が、吸込口９０ａの全幅にわたって設けられている。ひさし部９１は、吸込口９０ａの上端から下方に行くほど後方へ向けて傾斜し、上下方向の位置が吸込口９０ａの下縁より上方で、前後方向の位置が排水樋５８の上方位置、つまり、排水樋５８の上面開口部と上下方向に重なる位置で終端している。
【００２４】
吸込口９０ａの下方に設けられた吸込口９０ｂには、吸込口９０ｂの上端より後方へ延びる突部９２が吸込口９０ｂの全幅にわたって設けられている。この突部９２は、吸込口９０ａに設けられたひさし部９１の下方に間隔をあけて設けられ、吸込口９０ｂの上端から後方に行くほど下方に向けて傾斜する略平板状をなしている。突部９２の先端は、上下方向の位置が吸込口９０ｂの下縁より上方で、前後方向の位置が吸込口９０ａに設けられたひさし部９１の先端と同じ位置、又はひさし部９１の先端より後方位置で終端している。
【００２５】
本実施形態では、最上段の吸込口９０ａの上下方向の長さ（高さ）Ｈ１が、吸込口９０ｂの上下方向の長さＨ２より長く設けられ、吸込口９０ａに設けられたひさし部９１の下面の上下方向に対する傾斜角度が、突部９２の上面の上下方向に対する傾斜角度より小さく設けられている。
【００２６】
また、本実施形態では、図４に示すように、冷凍貯蔵室１４の底面１４ａの後端に上方に突出する係止部１４ａ１が設けられ、係止部１４ａ１がダクト板３４の下端背面と係止しているが、吸込口９０ａに設けられたひさし部９１と吸込口９０ｂに設けられた突部９２は、底面１４ａの係止部１４ａ１より後方に位置している。
【００２７】
前面凸部１００は、ダクト板３４の前面から前方へ突出し、最上段の吸込口９０ａの左上端及び右上端から幅方向外方へ延びる突条からなる。前面凸部１００の上面１００ａは、吸込口９０ａの左右端部の上方位置から幅方向外方へ延び、吸込口９０ａから幅方向へ離れるほど上方へ傾斜する傾斜面をなしている。
【００２８】
冷蔵庫１０では、ダンパ４６が流路４８を閉止した状態で送風ファン３８を回転させると、冷却器３６で冷却された冷却器室３０の空気が、冷凍ダクト４０を通って上部吹出口７０及び下部吹出口８０より冷凍貯蔵室１４へ吹き出る。冷凍貯蔵室１４へ吹き出た空気は、冷凍貯蔵室１４を冷却した後、ダクト板３４に設けられた吸込口９０ａ，９０ｂから吸込ダクト４２に流れ込み冷却器室３０に戻り冷却器３６によって再び冷却される。
【００２９】
また、ダンパ４６が流路４８を開放した状態で送風ファン３８を回転させると、冷却器３６で冷却された冷却器室３０の空気は、冷凍ダクト４０を通って上部吹出口７０及び下部吹出口８０より冷凍貯蔵室１４へ吹き出すとともに、冷蔵ダクト５０に設けられた冷蔵吹出口５４より冷蔵貯蔵室１６へ吹き出る。冷凍貯蔵室１４へ吹き出た空気は、冷凍貯蔵室１４を冷却した後、ダクト板３４に設けられた吸込口９０から吸込ダクト４２に流れ込み冷却器室３０に戻り冷却器３６によって再び冷却される。冷蔵貯蔵室１６へ吹き出た空気は、冷蔵貯蔵室１６を冷却した後、仕切壁１２に設けられた冷蔵貯蔵室１６の天井面に開口する冷蔵吸込口５４からリターンダクト５２を通って吸込ダクト４２に流れ込み冷却器室３０に戻り冷却器３６によって再び冷却される。
【００３０】
このような構成の冷蔵庫１０では、冷凍貯蔵室１４の背面に設けられた上部吹出口７０の下方に位置する下部吹出口８０や、下部吹出口８０の下方に位置する吸込口９０ａに、上端から下方に行くほど後方へ向けて傾斜するひさし部８１，９１が設けられているため、上部吹出口７０及び下部吹出口８０の周囲に付着した霜が融解して水滴となりダクト板３４を伝って下方へ流れ落ちることがあっても、下部吹出口８０及び吸込口９０ａにおいて下方へ流れ落ちる水滴が、ひさし部８１，９１を伝ってダクト板３４の後方へ誘導され、冷凍貯蔵室１４の底面に溜まることがない。
【００３１】
本実施形態では、下部吹出口８０や吸込口９０ａにひさし部８１，９１を設けているため、ひさし部を設けるためにダクト板３４に別途開口部を設ける必要がない。しかも、吸込口９０ａは、上部吹出口７０及び下部吹出口８０より下方に位置しているため、水滴をダクト板３４の後方へ誘導するひさし部を好適な位置に設けることができる。
【００３２】
本実施形態では、吸込口９０ａに設けられたひさし部９１が、排水樋５８の上面開口部と上下方向に重なる位置で終端し、ひさし部９１の下方に排水樋５８が設けられているため、ダクト板３４の後方へ誘導した水滴を排水樋５８へ落下させて蒸発皿６２へ排出することができる。
【００３３】
また、ひさし部９１を伝ってダクト板３４の前面から後方へ誘導された水滴が、ひさし部９１の先端（後端）に達する前に落下すると、ダクト板３４の背面を伝って下方に流れ落ち、冷凍貯蔵室１４の底面１４ａに設けられた係止部１４ａ１とダクト板３４との隙間を通って冷凍貯蔵室１４の底面１４ａに溜まるおそれがあるが、本実施形態では、吸込口９０ａに設けられたひさし部９１の下方にダクト板３４から後方に突出する突部９２が設けられているため、ひさし部９１の先端（後端）に達する前に水滴が落下してもこれを突部９２で受けることができ、係止部１４ａ１とダクト板３４との隙間を通って冷凍貯蔵室１４の底面１４ａに水滴が溜まることがない。
【００３４】
しかも、突部９２は、後方へ行くほど下方に傾斜しているため、突部９２で受けた水滴を速やかに後方へ誘導し、突部９２の下方に設けられた排水樋５８へ排出することができるとともに、吸込口９０ｂから吸い込んだ空気を下方へガイドしスムーズに吸込ダクト４２に導入することができる。
【００３５】
また、本実施形態では、下部吹出口８０のひさし部８１の下方にダクト板３４の背面から後方に突出する突部８３が設けられているため、ひさし部８１を伝ってダクト板３４の前面から後方へ誘導された水滴が、ひさし部８１から落下しても突部８３で受け止められ突部８３に穿設された水抜き孔８４から排水樋５８へ排出することができる。
【００３６】
更に、本実施形態では、ひさし部９１が設けられた吸込口９０ａの上方位置から側方へ延び、吸込口９０ａから離れるほど上方へ傾斜する傾斜面１００ａを備えた前面凸部１００がダクト板３４に設けられているため、上部吹出口７０が吸込口９０より幅広の開口部からなる場合に、吸込口９０ａの側方において上部吹出口７０から垂れ落ちら水滴を前面凸部１００の傾斜面１００ａで受けて吸込口９０ａのひさし部９１へ誘導しダクト板３４の後方へ排出することができる。
【００３７】
また、本実施形態では、ダクト板３４を伝って下方へ流れる水滴をダクト板３４の後方へ誘導するひさし部９１の上下方向に対する傾斜角度が、突部９２の上下方向に対する傾斜角度より小さく設され、ダクト板３４の前面に対して比較的緩やかな傾斜に設定されているため、水滴がひさし部９１を伝ってダクト板３４の後方へ流れ込みやすくなるとともに、吸込口９０ｂにおいて上下方向に小さなスペースで大きな開口面積を確保することができる。
【００３８】
なお、上記した本実施形態では、下部吹出口８０及び吸込口９０の両方にひさし部８１，９１を設け、ダクト板３４に複数のひさし部８１，９１を設けたが、下部吹出口８０及び吸込口９０のいずれか一方のみにひさし部を設けてもよい。
【００３９】
また、上記した本実施形態では、ダクト板３４を伝って下方へ流れる水滴をダクト板３４の後方へ誘導するひさし部を吹出口８０や吸込口９０に設けたが、吹出口や吸込口とは別個にダクト板に穿設した開口部にひさし部を設けてもよい。
【００４０】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４１】
１０…冷蔵庫、１１…冷蔵庫本体、１４…冷凍貯蔵室、１６…冷蔵貯蔵室、３０…冷却器室、３２…冷却器カバー、３４…ダクト板、３６…冷却器、３８…送風ファン、４０…冷凍ダクト、４２…吸込ダクト、５８…排水樋、６２…蒸発皿、７０…上部吹出口、７１…ルーバー、８０…下部吹出口、８１…ひさし部、８２…貫通孔、８３…突部、８４…水抜き孔、９０ａ…吸込口、９１…ひさし部、９２…突部、１００…前面凸部、１００ａ…傾斜面
【図１】
2017026194.tif 000003
【図２】
2017026194.tif 000004
【図３】
2017026194.tif 000005
【図４】
2017026194.tif 000006